(57)【要約】【課題】開閉式の携帯端末において、ワンプッシュで筐体が開いた後の操作を簡便にする。【解決手段】携帯端末（101）において、操作ボタン（108）と、筐体の閉状態にて前記操作ボタンが押下されたとき当該筐体を開状態にする開閉装置（201）と、前記携帯端末に想定される複数の動作状況と当該各動作状況にて実行すべき予約処理との組み合わせを表すテーブル（106a）と、前記筐体の閉状態にて前記操作ボタンが押下されたときの動作状況を検知し、当該検知した動作状況に対応する予約処理を前記テーブルから認識し、当該認識した予約処理を実行する制御部（102）とを備える。【選択図】図１
2010246006.tif 000002
【特許請求の範囲】
【請求項１】
開閉式の携帯端末において、
操作ボタンと、
筐体の閉状態にて前記操作ボタンが押下されたとき当該筐体を開状態にする開閉装置と、
前記携帯端末に想定される複数の動作状況と当該各動作状況にて実行すべき予約処理との組み合わせを表すテーブルを記憶する記憶部と、
前記筐体の閉状態にて前記操作ボタンが押下されたときの動作状況を検知し、当該検知した動作状況に対応する予約処理を前記テーブルから認識し、当該認識した予約処理を実行する制御部とを備えることを特徴とする携帯端末。
【請求項２】
前記記憶部は、前記テーブルにおける各予約処理について、当該予約処理を遷移させるための処理情報を記憶し、
前記制御部は、前記予約処理の実行において、前記操作ボタンの押下ごとに前記処理情報に基づき当該予約処理を遷移させることを特徴とする請求項１記載の携帯端末。
【請求項３】
前記記憶部は、前記テーブルにおける各動作状況について、前記操作ボタンの押下時間の長短別に予約処理を記憶し、
前記制御部は、前記操作ボタンの押下時間の長短を認識し、当該認識に対応する予約処理を実行することを特徴とする請求項１又は２記載の携帯端末。
【請求項４】
前記テーブルにおける動作状況および予約処理の組み合わせが、通話着信および当該着信への応答処理であることを特徴とする請求項１乃至３のいずれか１項に記載の携帯端末。
【請求項５】
前記テーブルにおける動作状況および予約処理の組み合わせが、待ち受け中における受信データの蓄積と、当該蓄積された受信データの出力処理との組み合わせであることを特徴とする請求項１乃至３のいずれか１項に記載の携帯端末。
【請求項６】
前記受信データが、電子メールまたは留守番電話の伝言メッセージであることを特徴とする請求項５記載の携帯端末。
【請求項７】
さらに、画像を撮影するカメラを備え、
前記テーブルにおける動作状況および予約処理の組み合わせが、待ち受け中において受信データが蓄積されていない状況と、当該状況における前記カメラの起動であることを特徴とする請求項１乃至３のいずれか１項に記載の携帯端末。
【請求項８】
操作ボタンと、筐体の閉状態にて前記操作ボタンが押下されたとき当該筐体を開状態にする開閉装置とを具備する開閉式の携帯端末が、
前記携帯端末に想定される複数の動作状況と当該各動作状況にて実行すべき予約処理との組み合わせを表すテーブルを記憶し、
筐体の閉状態にて操作ボタンが押下されたとき、現時点の動作状況を検知し、当該検知した動作状況に対応する予約処理を前記テーブルから認識し、当該認識した予約処理を実行することを特徴とする端末制御方法。
【請求項９】
前記携帯端末が、さらに、
前記テーブルにおける各予約処理について、当該予約処理を遷移させるための処理情報を記憶し、
前記予約処理の実行において、前記操作ボタンの押下ごとに前記処理情報に基づき当該予約処理を遷移させることを特徴とする請求項８記載の端末制御方法。
【請求項１０】
前記携帯端末が、さらに、
前記テーブルにおける各動作状況について、前記操作ボタンの押下時間の長短別に予約処理を記憶し、
前記操作ボタンが押下されたとき、押下時間の長短を認識し、当該認識に対応する予約処理を実行することを特徴とする請求項８又は９記載の端末制御方法。
【請求項１１】
前記テーブルにおける動作状況および予約処理の組み合わせが、通話着信および当該着信への応答処理であることを特徴とする請求項８乃至１０のいずれか１項に記載の端末制御方法。
【請求項１２】
前記テーブルにおける動作状況および予約処理の組み合わせが、待ち受け中における受信データの蓄積と、当該蓄積された受信データの出力処理との組み合わせであることを特徴とする請求項８乃至１０のいずれか１項に記載の端末制御方法。
【請求項１３】
前記受信データが、電子メールまたは留守番電話の伝言メッセージであることを特徴とする請求項１２記載の端末制御方法。
【請求項１４】
前記携帯端末が、画像を撮影するカメラを備え、
前記テーブルにおける動作状況および予約処理の組み合わせが、待ち受け中において受信データが蓄積されていない状況と、当該状況における前記カメラの起動であることを特徴とする請求項８乃至１０のいずれか１項に記載の端末制御方法。
【請求項１５】
操作ボタンと、筐体の閉状態にて前記操作ボタンが押下されたとき当該筐体を開状態にする開閉装置とを具備する開閉式の携帯端末に、
前記携帯端末に想定される複数の動作状況と当該各動作状況にて実行すべき予約処理との組み合わせを表すテーブルを記憶するステップと、
筐体の閉状態にて操作ボタンが押下されたとき、現時点の動作状況を検知し、当該検知した動作状況に対応する予約処理を前記テーブルから認識し、当該認識した予約処理を実行するステップとを実行させることを特徴とするプログラム。
【発明の詳細な説明】
【技術分野】
【０００１】
本発明は、折り畳み式やロータリー式といった開閉式の筐体を具備する携帯端末に関する。
【背景技術】
【０００２】
開閉式の携帯端末の一種に、ボタンのワンプッシュで筐体を開く仕組みを持つものがある。このような仕組みに関する技術が、例えば、後述の特許文献１に記載されている。同文献の技術は、折り畳み式の筐体のヒンジ部分にスイッチを備え、このスイッチの押下により筐体が滑らかに開くよう構成したものである。
【先行技術文献】
【特許文献】
【０００３】
【特許文献１】特許第３４２８９８３号明細書
【発明の概要】
【発明が解決しようとする課題】
【０００４】
上記特許文献１の技術のように、携帯端末にワンプッシュ機構を設けることで、片手で筐体を開くことができ、ユーザの利便性が高められる。しかしながら、携帯端末を利用する際、ワンプッシュで筐体が開いても、その後はキー操作など何らかの操作を必要とされる。よって、手先が器用ではない利用者等にとって、片手での操作は依然として困難である。
【０００５】
そこで、本発明は、ワンプッシュで筐体が開いた後の操作を簡便にするための携帯端末および端末制御方法を提供することを目的とする。
【課題を解決するための手段】
【０００６】
本発明は、開閉式の携帯端末において、操作ボタンと、筐体の閉状態にて前記操作ボタンが押下されたとき当該筐体を開状態にする開閉装置と、前記携帯端末に想定される複数の動作状況と当該各動作状況にて実行すべき予約処理との組み合わせを表すテーブルを記憶する記憶部と、前記筐体の閉状態にて前記操作ボタンが押下されたときの動作状況を検知し、当該検知した動作状況に対応する予約処理を前記テーブルから認識し、当該認識した予約処理を実行する制御部とを備える。
【０００７】
本発明に係る端末制御方法は、操作ボタンと、筐体の閉状態にて前記操作ボタンが押下されたとき当該筐体を開状態にする開閉装置とを具備する開閉式の携帯端末が、前記携帯端末に想定される複数の動作状況と当該各動作状況にて実行すべき予約処理との組み合わせを表すテーブルを記憶し、筐体の閉状態にて操作ボタンが押下されたとき、現時点の動作状況を検知し、当該検知した動作状況に対応する予約処理を前記テーブルから認識し、当該認識した予約処理を実行するという方法である。
【発明の効果】
【０００８】
本発明によれば、開閉式の携帯端末において、ワンプッシュで筐体が開いた後の操作を簡便にすることができる。
【図面の簡単な説明】
【０００９】
【図１】本発明の実施形態における携帯端末のブロック図である。
【図２】本発明の実施形態におけるテーブルの説明図である。
【図３】本発明の実施形態における動作手順のフローチャートである。
【図４】本発明の実施形態における予約処理の実行に関する説明図である。
【発明を実施するための形態】
【００１０】
図１に、本発明の実施形態における携帯端末101の構成を示す。携帯端末101は、折り畳み式、ロータリー式、スライド式など、筐体を開閉することができる開閉式の通信機器である。
【００１１】
携帯端末101は、本発明に係る携帯端末の制御部に対応するＣＰＵ（Central Processing Unit）102を備える。ＣＰＵ102は、バス103を介して後述の各部と接続されている。ＲＯＭ（Read Only Memory）104は、ＣＰＵ102が実行する各種プログラムや、プログラムに使用するデータを記憶している。ＲＡＭ（Random Access Memory）105は、ＣＰＵ102がプログラムを実行する上で一時的に必要とされるデータを記憶する。
【００１２】
通信部107は、通話，メール送受信，テレビ映像（ワンセグ）受信などを行う通信手段である。カメラ110は、静止画や動画を撮影するディジタルカメラである。表示部111は、画面を表示する液晶ディスプレイ及びその制御回路である。入力部112は、キーパッドやトラックボールなど、後述の簡易ボタン108以外の操作手段である。操作検知部109は、簡易ボタン108や入力部112でのユーザ操作を検知し、その操作の情報をバス103を介してＣＰＵ102へ伝える。
【００１３】
テーブル記憶部106は、携帯端末101に想定される複数の動作状況と、各動作状況にて実行すべき後述の予約処理との対応関係が設定されたテーブル106aを記憶するメモリであり、不揮発性メモリで構成されている。
【００１４】
簡易ボタン108は、本発明に係る携帯端末の操作ボタンに対応し、開閉装置201と機械的に接続されている。携帯端末101における簡易ボタン108の配置場所は任意であるが、筐体の開状態および閉状態の双方で操作可能な場所とする。簡易ボタン108に関する操作情報は、前述したように、操作検知部109によりＣＰＵ102へ通知される。
【００１５】
開閉装置201は、携帯端末101の筐体を開閉可能にする仕組みを持ち、例えば、開閉形式が折り畳み式の場合はヒンジ機構である。開閉装置201は、筐体の閉状態にて簡易ボタン108が押下されたとき、機械的に筐体を開けるよう動作する仕組みを持つ。
【００１６】
図２に、テーブル記憶部106に登録されるテーブル106aの一例を示す。テーブル106aにおいて、「動作状況１」には、筐体の閉状態において生じ得る携帯端末101の動作状況が設定される。図示の例では、通話着信、アラーム鳴動、待ち受け中などが用意されている。「予約処理」は、各動作状況に対して予約された処理である。例えば、通話着信に対する予約処理として、着信応答が設定されている。
【００１７】
「動作状況２」は、メインの「動作状況１」に関する付加的な情報である。本例の「動作状況２」には、着信やアラームのような即時応答を要するイベントが発生していない「待ち受け中」に、受信データが蓄積されたかどうかについて設定されている。
【００１８】
「設定オプション」は、各動作状況についてユーザが付加的に設定するものであり、本例では、待ち受け中に受信データが無い場合に、どのような予約処理を実行すべきかが設定されている。図示の例では、設定オプションとして、静止画撮影が有効に設定され（「1」）、テレビ視聴は現時点では無効とされている（「0」）。この有効／無効の設定は、ユーザにより適宜変更することができる。
【００１９】
図３に示すフローチャートを参照して、携帯端末101の動作を説明する。ここでは、便宜上、テーブル106aが図２に示すように設定されていることを想定する。
【００２０】
携帯端末101は、筐体の閉状態において（ステップS1）、簡易ボタン108が押下されたかどうかを監視する（ステップS2）。簡易ボタン108が押下されると、携帯端末101は、現時点の動作状況を検知し（ステップS3）、その状況に対応する予約処理をテーブル106aから認識する（ステップS4）。
【００２１】
より具体的には、図２より、簡易ボタン108の押下された状況が、例えば「アラーム鳴動」の場合は、そのアラームの停止を予約処理として認識する。また、「待ち受け中」の場合は、新着メールあるいは留守電メッセージが蓄積されているかどうかを確認する。何らかの受信データがある場合は、そのデータの出力（新着メールの表示、留守電メッセージの再生）を予約処理として認識する。受信データが無い場合は、設定オプションで現在有効となっている「静止画撮影」を予約処理として認識する。
【００２２】
携帯端末101は、簡易ボタン108の押下により筐体が開状態となり（ステップS5）、テーブル106aから認識した予約処理を実行する（ステップS6）。これにより、例えば鳴動中のアラームが、簡易ボタン108以外の手段による停止操作を介することなく停止する。
【００２３】
なお、携帯端末101において、上記のようにして予約処理が開始された後も、簡易ボタン108の押下により、ユーザの意図に沿って処理を進めることができる。そのためには、予約処理を遷移させるための処理情報を前述のテーブル106aに関連付けて登録しておく。図４に、その処理情報の例を模式的に示す。
【００２４】
図示の処理情報によれば、予約処理が、例えば、新着メールや留守電メッセージのような受信データの出力である場合、筐体が開くと共に１件目が出力（画面表示、音声再生）された後、簡易ボタン108を押下するごとに、２件目以降のデータが順次出力される。
【００２５】
また、予約処理が静止画撮影の場合は、カメラが起動した後、簡易ボタン108の押下により撮影が行われ、再び押下することで、その撮影の画像データが保存される。以降、簡易ボタン108の押下により、撮影およびデータ保存が繰り返される。また、予約処理がテレビ視聴の場合は、テレビ起動後、簡易ボタン108を押下するごとに、チャンネルが切り替わる。
【００２６】
このように、本実施形態によれば、開閉式の携帯端末において、ワンプッシュで筐体が開いた後の操作を簡便にすることができる。よって、ユーザが片手しか空いていない状況や、手先が器用ではない利用者であっても、携帯端末を簡便に利用することができる。
【００２７】
なお、本発明の実施の形態は、上記のものに限定されず、特許請求の範囲内で適宜変形が可能である。例えば、簡易ボタン108を押下する時間（短押下／長押下）に応じて別の意味を持たせてもよい。押下形態の判別は、操作検知部109により行う。そして、例えば、通話着信中の予約処理として、一般的な短い押下の場合は着信応答する一方で、長い押下の場合は応答せず留守電に移行するといった設定をテーブル106aに登録する。これにより、１つの動作状況に対し、押下形態に応じた複数の予約処理を設定することができる。
【００２８】
また、上記実施形態では、閉状態における簡易ボタン108の押下により、直ちに予約処理へ移行したが、これに替えて、再び押下することを契機に予約処理を開始するようにしてもよい。この場合であっても、携帯端末101を片手で操作することができる。
【００２９】
さらにまた、簡易ボタン108に関するテーブル106aの設定は、図２に示すものに限らず、例えば、アラーム鳴動時の予約処理として、アラーム停止後に自動的にスケジューラを起動させる等、関連する複数の処理を連続的に実行するよう設定してもよい。
【００３０】
本発明は、携帯端末101の動作手順に対応するコンピュータプログラム、及び、そのプログラムを格納した記録媒体として実施することができる。
【符号の説明】
【００３１】
101：携帯端末、102：ＣＰＵ（制御部）、103：バス、104：ＲＯＭ、105：ＲＡＭ、106：テーブル記憶部、106a：テーブル、107：通信部、108：簡易ボタン（操作ボタン）、109：操作検知部、110：カメラ、111：表示部、112：入力部
【図１】
2010246006.tif 000003
【図２】
2010246006.tif 000004
【図３】
2010246006.tif 000005
【図４】
2010246006.tif 000006